(57)【要約】【課題】主たる電子機器の動作、不動作に応じて従たる電子機器への給電を制御し、かつ信号伝送機能も有する連動型電源供給装置を提供すること。【解決手段】主たる電子機器ＴＶ、および前記主たる電子機器と共に作動すべき従たる電子機器ＢＳＴの電源をオン・オフする装置において、前記主たる電子機器の電源オン、オフを検知してオン信号およびオフ信号を形成する検知回路ＣＣと、前記検知回路からのオン信号およびオフ信号に応じて前記従たる電子機器の電源をオン、オフする連動型給電回路ＳＷと、前記主たる電子機器と前記従たる電子機器との間での信号伝送を行う信号伝送回路とをそなえたことを特徴とする連動型電源供給装置。【選択図】図１
0003135030.tif 000002
【実用新案登録請求の範囲】
【請求項１】
主たる電子機器、および前記主たる電子機器と共に作動すべき従たる電子機器の電源をオン・オフする装置において、
前記主たる電子機器の交流電源オン、オフを検知してオン信号およびオフ信号を形成する検知回路と、
前記検知回路からのオン信号およびオフ信号に応じて前記従たる電子機器への直流電源をオン、オフする連動型給電回路と、
前記主たる電子機器と前記従たる電子機器との間での信号伝送を行う信号伝送回路と
をそなえたことを特徴とする連動型電源供給装置。  
【請求項２】
請求項１記載の連動型電源供給装置において、
前記検知回路は、前記主たる電子機器への供給電流を検知するものであることを特徴とする連動型電源供給装置。
【請求項３】
請求項１記載の連動型電源供給装置において、
前記連動型給電回路は、
前記検知回路の出力に応じて開閉するスイッチと、
前記スイッチを介して商用電源に接続され、直流電源を供給するＡＣ−ＤＣ変換回路と
をそなえたことを特徴とする連動型電源供給装置。
【考案の詳細な説明】
【技術分野】
【０００１】
本考案は、電子機器の電源供給装置に係わり、とくに主たる電子機器とこの主たる電子機器に従動すべき従たる電子機器とに対して連動的に給電する装置に関する。
【背景技術】
【０００２】
例えば図４に示すように、テレビジョン受像機ＴＶは、アンテナＡＮＴ１またはＡＮＴ２から受信信号ＲＦを得て放送を受信する。このアンテナＡＮＴ１，ＡＮＴ２は、受信信号ＲＦを増幅して受像機ＴＶに送る構成になっている場合が多く、受像機ＴＶとの間にAC/DCコンバータ兼信号伝送回路である電源−信号回路Ｐ／Ｓを、またアンテナＡＮＴ１であれば内蔵の、またアンテナＡＮＴ２であれば外付けのブースタＢＳＴが設けられている。
【０００３】
これにより、アンテナＡＮＴ１，ＡＮＴ２の受信信号ＲＦをブースタＢＳＴで増幅して主たる機器である受像機ＴＶに送り、受像機ＴＶに対して従たる機器であるブースタＢＳＴには電源ＤＣを供給することができる。そして、これら主、従関係の機器の電源コネクタを、テーブルタップＴＴに各別に差し込んでいる。
【０００４】
この種の主、従関係の電子機器で使用するための電源タップが提供されている（特許文献１）。これは、主、従関係の機器を使用した後、主たる機器の電源をオフにしても、従たる機器の電源をオフしなかったり、オフし忘れたりして余分なエネルギ消費を続けることを防止するものである。
【特許文献１】特開平０８−１９５２５２号公報
【考案の開示】
【考案が解決しようとする課題】
【０００５】
しかしながら、特許文献１に開示された電源タップは、交流電源のみを供給するものであり、連動型ではあるが、汎用性のテーブルタップとしての機能を有するのみである。このため、信号伝送回路は別途用意する必要がある。
【０００６】
本考案は上述の点を考慮してなされたもので、主たる電子機器の動作、不動作に応じて従たる電子機器への給電を制御し、かつ信号伝送機能も有する連動型電源供給装置を提供することを目的とする。
【課題を解決するための手段】
【０００７】
上記目的達成のため、本考案では、
主たる電子機器、および前記主たる電子機器と共に作動すべき従たる電子機器の電源をオン・オフする装置において、
前記主たる電子機器の電源オン、オフを検知してオン信号およびオフ信号を形成する検知回路と、
前記検知回路からのオン信号およびオフ信号に応じて前記従たる電子機器の電源をオン、オフする連動型給電回路と、
前記主たる電子機器と前記従たる電子機器との間での信号伝送を行う信号伝送回路と
をそなえたことを特徴とする連動型電源供給装置、
を提供する。
【考案の効果】
【０００８】
本考案は上述のように、主たる電子機器の電源オン、オフに応じて従たる電子機器への電源供給制御を行い、かつ主たる電子機器と従たる電子機器との間で信号伝送を行うようにしたため、主たる電子機器の動作状況に正しく対応して従たる電子機器の電源制御を行うことができる。
【考案を実施するための最良の形態】
【０００９】
以下、添付図面を参照して本考案の実施の形態を説明する。  
【実施例１】
【００１０】
図1は、本考案の一実施例を示したものである。ここでは、主たる電子機器としてテレビジョン受像機ＴＶ、従たる電子機器としてアンテナＡＮＴに内蔵のブースタＢＳＴを考えている。そして、これら主従関係の２つの電子機器の間に、電源−信号回路Ｐ／Ｓが介在し、この電源−信号回路Ｐ／Ｓは、主たる電子機器用の交流電源、従たる電子機器用の直流電源および従たる電子機器から主たる電子機器への信号伝送回路を兼ねるものである。
【００１１】
この電源−信号回路Ｐ／Ｓは、商用電源コンセント（図示せず）に接続されて、受像機ＴＶに交流電源を供給し、この交流電源を供給しているときのみ従たる電子機器ＢＳＴに直流電源を供給する。信号伝送回路は、常時接続状態にある。
【００１２】
図２は、図1に示した電源−信号回路Ｐ／Ｓの内部構成を示した回路図である。この回路は、交流入力端子ＩＮ１および２つの交流出力端子ＯＵＴ１，ＯＵＴ１’を有し、交流出力端子ＯＵＴ１には常時出力を供給し、もう一つの交流出力端子ＯＵＴ１’には主たる電子機器（ＴＶ）への給電時のみ出力を供給する。
【００１３】
そのために、電流変化検出回路ＣＣが主たる電子機器（ＴＶ）への給電開始時を検出すると、スイッチ回路ＳＷに信号を与えて接点を閉じ、出力端子ＯＵＴ１’に交流電源を供給する。主たる電子機器（ＴＶ）への給電停止時も、電流変化検出回路ＣＣが検出してスイッチ回路ＳＷに信号を与えて接点を開き、出力端子ＯＵＴ１’への給電を停止する。
【００１４】
そして、スイッチ回路ＳＷの出力をＡＣ−ＤＣ変換回路ＣＯＮおよびチョークコイルＣＨを介し信号伝送路の入力端子ＩＮ２を経て、ブースタＢＳＴに直流電源ＤＣを供給し、停止する。
【００１５】
他方、入力端子ＩＮ２からはブースタＢＳＴの信号出力ＲＦが与えられ、コンデンサＣを経て出力端子ＯＵＴ２から受像機ＴＶに、アンテナＡＮＴで受信しブースタＢＳＴで増幅した信号を与える。
【実施例２】
【００１６】
図３は、本考案の実施例２を示したものである。この場合、主たる電子機器（ＴＶ）は複数台あり、これら複数台の主たる電子機器（ＴＶ）が１台の従たる電子機器（ＢＳＴ）を共用する形態を採っている。すなわち、１台でも主たる電子機器（ＴＶ）が動作するときは、従たる電子機器（ＢＳＴ）を動作させ、主たる電子機器が１台も動作しなくなったときに従たる電子機器（ＢＳＴ）を不動作とする。
【００１７】
このために、複数台の主たる電子機器（ＴＶ）のそれぞれにおける電源−信号回路Ｐ／ＳとブースタＢＳＴとの間に全端子通電型分配器ＤＩＳを配して、主たる電子機器と従たる電子機器とを接続している。
【図面の簡単な説明】
【００１８】
【図１】本考案の一実施例の構成を示す説明図。
【図２】図１に示した実施例における回路構成を示す回路図。
【図３】本考案の他の実施例を示す構成図。
【図４】従来の主従関係にある電子機器への給電の仕方を示す説明図。
【符号の説明】
【００１９】
ＴＶ  主たる電子機器（ＴＶ）
ＡＮＴ  アンテナ
ＢＳＴ  ブースタ
Ｐ／Ｓ  電源−信号回路
ＣＯＮ  ＡＣ−ＤＣ変換回路
ＳＷ  スイッチ回路
ＣＣ  電流変化検出回路
ＣＨ  チョークコイル
Ｃ  コンデンサ
ＤＩＳ  全端子型分配器
【図１】
0003135030.tif 000003
【図２】
0003135030.tif 000004
【図３】
0003135030.tif 000005
【図４】
0003135030.tif 000006